(57)【要約】【課題】  ボルト・ナットなどのねじ部材が確実に締め付けられたか否かを、締付け作業の際に直ちに、又は締付け作業の後で事後的に、目視によって容易にかつ確実に確認することを可能にする。【解決手段】  ねじ部材の締付け操作前に第１面（ワッシャの端面）７２ａに重ね合わされる座板部２と、ねじ部材を締付け操作することにより第２面（ナットの裏面）８ａで押圧されて変形する受部３とを備える。ねじ部材を締め付けると、受部３が押圧されて座板部２を傾斜姿勢に起き上がる。傾斜姿勢に起き上がった座板部２を目視することにより重なり姿勢の座板部２と区別することができる。座板部２の裏面を着色しておいてもよい。【選択図】        図１
0003101598.tif 000002
【実用新案登録請求の範囲】
【請求項１】
ねじ部材を締付け操作することによって互いに接近する第１及び第２の２つの面の間に介在されるねじ部材締付け確認具であって、
ねじ部材の締付け操作前に第１面に重ね合わされる座板部と、ねじ部材を締付け操作することにより第２面で押圧されて第１面に近づく方向に変位しつつ上記座板部を第１面との重なり姿勢から姿勢変更させて傾斜姿勢に起き上がらせる膨出形状の受部とを連設してあると共に、傾斜姿勢に起き上がった座板部を目視することにより重なり姿勢の座板部と区別することができるようにその座板部の起き上がり角度が定められていることを特徴とするねじ部材締付け確認具。
【請求項２】
上記ねじ部材がねじ軸部を備えていると共に、環状に形成されてその囲繞空間が上記ねじ軸部に対する嵌合孔として形成されている上記受部の外周側に、環状に形成された上記座板部が連設されている請求項１に記載したねじ部材締付け確認具。
【請求項３】
目視することにより重なり姿勢の座板部と区別することができるように座板部が傾斜姿勢に起き上がっているときに、上記受部が上記第１面を弾性的に押圧してねじ部材を緩み止めしている請求項２に記載したねじ部材締付け確認具。
【請求項４】
上記座板部は、第１面との重なり姿勢のときにその第１面に重なり合う裏面が着色されていると共に、その重なり姿勢から姿勢変更されて傾斜姿勢に起き上がった状態ではその裏面の着色が外部から目視可能になるようにその起き上がり角度が定められている請求項２又は請求項３に記載したねじ部材締付け確認具。
【請求項５】
上記第１面又は上記第２面が、ボルト頭部の裏面、ナットの裏面、ワッシャの端面、ねじ軸部が突設された部材の表面から選ばれる面である請求項１ないし請求項４のいずれか１項に記載したねじ部材締付け確認具。
【考案の詳細な説明】
【技術分野】
【０００１】
本考案は、ねじ部材締付け確認具、詳しくは、たとえばボルト・ナットでなるねじ部材が確実に締め付けられているか否かを確認することに用いられるねじ部材締付け確認具に関する。
【背景技術】
【０００２】
ビル建設現場で鉄骨同士をボルト・ナットなどのねじ部材を用いて結合するような場合、その結合箇所が数千〜数万といった多数箇所に及ぶことがあり、従来は、次の手順に従ってそれらの結合箇所でのねじ部材の締付けの確実性を担保していた。すなわち、作業者がねじ部材をそれぞれの箇所で締め付ける作業を一通り行った後、別の作業者が、それぞれの箇所に締め付けられているねじ部材を再度締め付けるという作業を繰り返すことによって、ねじ部材の締付けの確実性を担保していた。
【考案の開示】
【考案が解決しようとする課題】
【０００３】
しかしながら、従来では、同じ箇所でのねじ部材の締付け作業を最低でも２回繰り返す必要があるだけでなく、建築現場などでは締付け作業を行う箇所が上記のように多数箇所に及ぶので、それに要する時間と手間が多大になるという問題があった。
【０００４】
本考案はこの問題に鑑みてなされたものであり、ボルト・ナットなどのねじ部材が確実に締め付けられたか否かを締付け作業の際に直ちに目視によって確認することが可能になるねじ部材締付け確認具を提供することを目的とする。
【０００５】
また、本考案は、ねじ部材の締付け箇所で汎用される周知のワッシャと同様の使い勝手を発揮する使い勝手に優れたねじ部材締付け確認具を提供することを目的とする。
【０００６】
さらに、本考案は、ねじ部材が確実に締め付けられている否かを、そのねじ部材の締付け作業後に、近くからでも遠くからでも事後的に容易に確認することのできるねじ部材締付け確認具を提供することを目的とする。
【課題を解決するための手段】
【０００７】
本考案に係るねじ部材締付け確認具は、ねじ部材を締付け操作することによって互いに接近する第１及び第２の２つの面の間に介在されるねじ部材締付け確認具であって、ねじ部材の締付け操作前に第１面に重ね合わされる座板部と、ねじ部材を締付け操作することにより第２面で押圧されて第１面に近づく方向に変位しつつ上記座板部を第１面との重なり姿勢から姿勢変更させて傾斜姿勢に起き上がらせる膨出形状の受部とを連設してあると共に、傾斜姿勢に起き上がった座板部を目視することにより重なり姿勢の座板部と区別することができるようにその座板部の起き上がり角度が定められている、というものである。
【０００８】
この考案によると、ねじ部材を締付け操作すると、第２面によって押圧された受部が第１面に近づく方向に変位しつつ、第１面に重なり合っている座板部を第１面との重なり姿勢から姿勢変更させて傾斜姿勢に起き上がらせる。そして、起き上がった座板部の傾斜姿勢を目視によって重なり姿勢の座板部と区別することができる。そのため、ねじ部材を締付け操作して座板部の姿勢を目視するだけで、ねじ部材が確実に締め付けられている否かを、締付け作業の際に直ちに、又は、締付け作業後に容易に確認することが可能になる。
【０００９】
本考案では、上記ねじ部材がねじ軸部を備えていると共に、環状に形成されてその囲繞空間が上記ねじ軸部に対する嵌合孔として形成されている上記受部の外周側に、環状に形成された上記座板部が連設されている、という構成を採用することが望ましい。これによれば、受部の囲繞空間によって形成されている嵌合孔をねじ軸部に嵌め込むという操作を行うだけで、座板部を第１面に重ね合わせ、受部を第２面に臨ませることができるので、ボルト・ナットなどのねじ部材の締付け後の緩み止めなどに用いられる周知のワッシャをボルトのねじ軸部に嵌め込んで設置する場合と同様の使い勝手が得られて、その使い勝手が向上する。
【００１０】
本考案では、目視することにより重なり姿勢の座板部と区別することができるように座板部が傾斜姿勢に起き上がっているときに、上記受部が上記第１面を弾性的に押圧してねじ部材を緩み止めしているものであることが望ましく、それによれば、当該締付け確認具によってねじ部材が確実に締め付けられていることを確認できるだけでなく、事後的にねじ部材の締付け状態が緩むという事態が抑制される。そのために、当該締付け確認具に、緩み止めワッシャとしての機能が付与される。
【００１１】
本考案において、上記座板部は、第１面との重なり姿勢のときにその第１面に重なり合う裏面が着色されていると共に、その重なり姿勢から姿勢変更されて傾斜姿勢に起き上がった状態ではその裏面の着色が外部から目視可能になるようにその起き上がり角度が定められている、という構成を採用することが可能である。これによれば、傾斜姿勢に起き上がった座板部の裏面の着色を目視することによって、ねじ部材が確実に締め付けられているか否かを知ることができる。そのため、ねじ部材の締付け箇所の近くでねじ部材が確実に締め付けられているか否かを確認することができることは勿論、ねじ部材の締付け箇所の遠くからでも、たとえば双眼鏡などを使って座板部の裏面の着色を目視してねじ部材が確実に締め付けられているか否かを確認することができるようになるという利便がある。
【００１２】
本考案では、上記第１面又は上記第２面が、ボルト頭部の裏面、ナットの裏面、ワッシャの端面、ねじ軸部が突設された部材の表面から選ばれる面であるという構成を採用することが可能である。これによれば、ワッシャを用いているか否かにかかわらず、ボルト・ナットの締付け箇所で当該確認具を使用することができるほか、スタッドボルトや埋め込みボルトにナットをねじ込むような締付け箇所でも当該確認具を使用することができる。
【考案の効果】
【００１３】
以上のように、本考案によれば、ボルト・ナットなどのねじ部材が確実に締め付けられたか否かを、締付け作業の際に直ちに、又は締付け作業の後で事後的にも、目視によって容易にかつ確実に確認することが可能になる。そのため、本考案に係るねじ部材締付け確認具は、建築現場などのようにきわめて多数の箇所でねじ部材を締め付けるという作業が行われる場所で用いることによって、ねじ部材の締付け作業の確実性と作業効率を飛躍的に向上させることができるようになるという効果が得られる。特に、座板部の裏面を着色したものでは、ねじ部材が確実に締め付けられている否かを、そのねじ部材の締付け作業後に、近くからでも遠くからでも事後的に容易に確認することのできるために、上記効果がさらに顕著に発揮されるようになる。また、緩み止め機能を具備させることが可能であるために、緩み止めワッシャとして用いることも可能である。
【考案を実施するための最良の形態】
【００１４】
図１（Ａ）は本考案の実施形態に係るねじ部材締付け確認具１の動作前の使用状態を示した一部破断側面図、（Ｂ）はねじ部材締付け確認具１の動作後の使用状態を示した一部破断側面図、図２（Ａ）はねじ部材締付け確認具１の平面図、（Ｂ）はねじ部材締付け確認具１の断面図、図３はねじ部材締付け確認具１の動作説明図である。
【００１５】
図２のように、このねじ部材締付け確認具１（以下「確認具」という）は板金製であって、環状の座板部２とその座板部２の内側に一体に連設された環状の受部３とを備えていて、受部３によって囲まれた囲繞空間が嵌合孔４として形成されている。
【００１６】
この確認具１をさらに詳しく説明すると、座板部２は受部３の外周側に一定出幅を有して鍔形に張り出したフラット部分でなるのに対し、受部３は、座板部２の内周部からその表面側へ膨らみ出た膨出形状に形成されていて、座板部２の内周部から傾斜して立ち上がった環状の傾斜部３１とその傾斜部３１の上端に連設されたフラット部３２とを備えている。そして、図３に示したように、座板部２を面Ｐの上に重ね合わせて載置し、力Ｆで受部３を強く押圧して受部３を面Ｐに近づく方向に変位させると、その受部３が変位するのに伴って座板部２がその内周部２ａを支点として重なり姿勢から姿勢変更して仮想線で示したような傾斜姿勢に起き上がる。そして、受部３が変位しきったときの座板部２の起き上がり角度θは、受部３の傾斜部３１の水平幅や高さなどを変更して当該受部の形状を変更することによって増減調節することができる。そこで、この実施形態においては、座板部２の上記起き上がり角度θを、傾斜姿勢に起き上がった座板部２を目視することより重なり姿勢の座板部２と区別することができ、しかも、座板部２の裏面２１を外部から目視することができる程度に定めてある。
【００１７】
以上説明した確認具１の使用事例を図１を参照して説明する。
【００１８】
図１（Ａ）では、鉄骨などの鋼材５の孔にワッシャ７１を嵌め込んだボルト６のねじ軸部６１を下方から挿通させると共に、鋼材５の上側で上記ねじ軸部６１にワッシャ７２を嵌め込むと共に、確認具１をその嵌合孔４を介して嵌め込み、その上からナット８をねじ軸部６１に緩くねじ込んである。この状態では、確認具１の座板部２の裏面２１がワッシャ７２の上面（第１面）７２ａに重なり合っているため、その裏面２１を外部から目視することはできない。また、座板部２はワッシャ７２の上面７２ａに重なり合った重なり姿勢になっている。
【００１９】
図１（Ａ）の状態からナット８を回してボルト６とナット８とを確実に締め付けると、図１（Ｂ）のように、ナット８の裏面（第２面）８ａが確認具１の受部３を押圧してワッシャ７１の上面７２ａに近づく方向に変位させる。このときの受部３の変位は、受部３が押し潰されることによる変位であっても、弾性変形することによる変位であってもよい。そして、受部３がそのように変位すると、座板部２が図１（Ａ）の重なり姿勢から姿勢変更して図１（Ｂ）のような傾斜姿勢に起き上がる。このため、作業者は、座板部２が傾斜姿勢に起き上がったことを目視することによって、ボルト６とナット８とが確実に締め付けられていることを知り得る。また、締付け作業の後では、事後的に、遠く離れた場所から双眼鏡などを使って座板部２が傾斜姿勢に起き上がっていることを目視することによって、ボルト６とナット８とが確実に締め付けられていることを知り得る。
【００２０】
したがって、ビル建設現場で鉄骨同士の多数箇所をボルト・ナットなどのねじ部材を用いて結合するような場合、従来のように締め付ける作業を一通り行った後で別の作業者がそれぞれの箇所のねじ部材を再度締め付けるというような時間と手間のかかる作業を行うことなく、双眼鏡などを使ってそれぞれの締付け箇所で座板部２が傾斜姿勢に起き上がっているか否かを目視して見極めるという作業を行うだけで、ボルト・ナットが確実に締め付けられているか否かを確認することが可能であり、仮に締め付けられていない箇所があれば、その箇所だけで再度締付け作業を行えば済むようになる。
【００２１】
また、確認具１の座板部２はその裏面２１を目立つ色に着色しておくことも可能であり、座板部２の裏面２１を着色した確認具１では、その座板部２が傾斜姿勢に起き上がっていると裏面２１の着色を目視でき、座板部２が重なり姿勢のときには裏面２１の着色を目視することができない。そのため、座板部２の裏面２１の着色を、近い場所では肉眼で、遠方からは双眼鏡などによって目視によって確認することが可能であり、そのようにすると、ボルト・ナットが確実に締め付けられているか否かをいっそう容易に確認することが可能になる。
【００２２】
また、ボルト６とナット８とが確実に締め付けられて座板部２が傾斜姿勢に起き上がっているときには、座板部２の内周部２ａを拡径させようとする力が発生し、その反力によって受部３にある程度の弾性による復元力が働き、その復元力によってナット８が緩み止めされるという作用も発揮される。
【００２３】
図１では、ボルト６とナット８とを締め付ける場合において、ワッシャ７２の上面７２ａを第１面とし、ナット８の裏面８ａを第２面とした場合を説明したけれども、第１面と第２面とは、締付ける部材の種類に応じて変わる。たとえば、確認具１の座板部２をナットの裏面に重ね合わせて頭付きボルトを締め付ける場合には、第１面がナットの裏面となり、第２面がボルト頭部の裏面になる。また、確認具１の座板部２を、ねじ軸部が突設された部材の表面に重ね合わせ、そのねじ軸部にねじ込んだナットを締め付ける場合には、第１面が部材の表面になり、第２面がナットの裏面になる。したがって、第１面又は第２面が、ボルト頭部の裏面、ナットの裏面、ワッシャの端面、ねじ軸部が突設された部材の表面から選ばれる面であれば、上記確認具１を使用することができる。
【図面の簡単な説明】
【００２４】
【図１】（Ａ）は本考案の実施形態に係るねじ部材締付け確認具の動作前の使用状態を示した一部破断側面図、（Ｂ）はねじ部材締付け確認具の動作後の使用状態を示した一部破断側面図である。
【図２】（Ａ）はねじ部材締付け確認具の平面図、（Ｂ）はねじ部材締付け確認具の断面図である。
【図３】ねじ部材締付け確認具の動作説明図である。
【符号の説明】
【００２５】
１  ねじ部材締付け確認具
２  座板部
３  受部
４  嵌合孔
８ａ  ナットの裏面
６１  ねじ軸部
７２ａ  ワッシャの上面（ワッシャの端面）
θ  座板部の起き上がり角度
【図１】
0003101598.tif 000003
【図２】
0003101598.tif 000004
【図３】
0003101598.tif 000005